【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
生産システムであって、
製品を生産するために少なくとも１つの生産作業を実行する働きをする少なくとも１つのリソースと、
前記少なくとも１つのリソースを用いる製品の生産を促進するために、対応するアクチュエータ制御入力信号または値によって個々に動作可能な複数のアクチュエータと、
所望される製品特性と前記アクチュエータの公称動作点との間の相関性を含むモデルと、
前記生産リソース及び前記アクチュエータと結合され、かつ少なくとも１つの所望される試験製品特性に従って対応する試験製品セットを生産するために複数のランを含む実験を自動的に実行する働きをするコントローラであって、前記コントローラは、少なくとも１つの所望される試験製品特性によって画定されるアクチュエータ公称動作点によって前記リソースに試験製品を生産させるために、実験の各ランにおいて前記アクチュエータへアクチュエータ制御入力信号または値を提供し、各ランは少なくとも１つのアクチュエータの動作点をアクチュエータ公称動作点から偏らせる少なくとも１つの予め決められた摂動を含み、前記実験の少なくとも２つの前記ランは予め決められた異なる摂動を有するコントローラと、
前記コントローラと結合され、かつ前記試験製品の前記少なくとも１つの所望される試験製品特性を検知する働きをする少なくとも１つのセンサとを備え、
前記コントローラは、前記試験製品セットの前記検知された特性を前記少なくとも１つの所望される試験製品特性と対照させる分析を実行し、かつ少なくとも部分的に前記分析に従って、所望される製品特性と前記モデルのアクチュエータ公称動作点との相関性を選択的に更新する働きをし、
前記システムは文書処理システムであって、試験パッチ製品を生産するためにマーキング材料を対応する媒体上へ転写する働きをする少なくとも１つのマーキングデバイスリソースを備え、
前記複数のアクチュエータは、マーキング材料の前記媒体上への転写に関連づけられる動作パラメータを調整するために、対応するアクチュエータ制御入力信号または値によって個々に動作可能であり、
前記少なくとも１つのセンサは、前記試験パッチ製品に関連づけられるマーキング材料転写状態を検知する働きをし、
前記コントローラは前記マーキングデバイスリソースと機能的に結合されかつ選択的に前記少なくとも１つのマーキングデバイスにマーキング材料を前記媒体上へ転写させる働きをし、前記コントローラは、少なくとも１つの所望される試験パッチ特性に従って前記媒体上へ対応する試験パッチセットを生産するために複数のランを含む実験を自動的に実行する働きをし、前記コントローラは、前記少なくとも１つの所望される試験パッチ特性によって画定されるアクチュエータ公称動作点に従って前記マーキングデバイスに前記媒体上へ試験パッチを生産させるために、前記実験の各ランにおいて前記アクチュエータへアクチュエータ制御入力信号または値を提供し、各ランは少なくとも１つのアクチュエータの動作点を前記アクチュエータ公称動作点から偏らせる少なくとも１つの予め決められた摂動を含み、前記実験の少なくとも２つの前記ランは予め決められた異なる摂動を有し、前記コントローラは、前記試験パッチセットの前記検知された特性を前記少なくとも１つの所望される試験パッチ特性と対照させる分析を実行し、かつ少なくとも部分的に前記分析に従って、所望される試験パッチ特性と前記モデルのアクチュエータ公称動作点との相関性を選択的に更新する働きをし、
前記試験パッチの前記媒体上の位置は前記実験の摂動である、生産システム。
【請求項２】
前記コントローラは、前記実験の複数の反復を実行し、複数の試験製品セットの分析を実行しかつ少なくとも部分的に前記分析によって、所望される製品特性と前記モデルのアクチュエータ公称動作点との前記相関性を選択的に更新する働きをする、請求項１に記載のシステム。
【請求項３】
前記コントローラは、前記実験の異なる反復で前記ランのシーケンスを変更する働きをする、請求項２に記載のシステム。
【請求項４】
前記コントローラは、前記実験の異なる反復で前記ランのシーケンスをランダム化する働きをする、請求項３に記載のシステム。
【請求項５】
前記コントローラは少なくとも１つの予め決められた実験を格納する、請求項１に記載のシステム。
【請求項６】
前記コントローラは、前記分析を基礎として前記モデルのパラメータまたはルックアップ表エントリの変化を推定し、かつ前記推定された変化のうちの少なくとも１つがしきい値を超えていれば、より多いラン回数を有するより完全な実験を選択的に実行する働きをする、請求項１に記載のシステム。
【請求項７】
前記コントローラは、非試験製品の生産を継続しながら前記媒体のパネル内ゾーンまたは他のゾーンに試験パッチを生産するために複数のランを含む実験を自動的に実行する働きをする、請求項１に記載のシステム。
【請求項８】
生産システムモデルを更新する方法であって、
生産システムの少なくとも１つの生産システムリソースを用いて、少なくとも１つの所望される試験製品特性に従った対応する試験製品セットを生産するために複数のランを含む実験を自動的に実行することであって、前記少なくとも１つの所望される試験製品特性によって画定されるアクチュエータ公称動作点に従って前記リソースに対応する試験製品を生産させるために、前記実験の各ランにおいてアクチュエータ制御入力信号または値を複数のアクチュエータへ提供することを含み、各ランは少なくとも１つの前記アクチュエータの動作点をアクチュエータ公称動作点から偏らせる少なくとも１つの予め決められた摂動を含み、前記実験の前記ランのうちの少なくとも２つは予め決められた異なる摂動を有することと、
前記実験において生産された前記試験製品の前記少なくとも１つの所望される試験製品特性を検出することと、
前記試験製品セットの前記検出された特性を前記少なくとも１つの所望される試験製品特性と対照させて分析することと、
少なくとも部分的に前記分析に従って、所望される製品特性とシステムモデルのアクチュエータ公称動作点との相関性を選択的に更新することを含み、
前記システムは文書処理システムであって、試験パッチ製品を生産するためにマーキング材料を対応する媒体上へ転写する働きをする少なくとも１つのマーキングデバイスリソースを備え、
前記複数のアクチュエータは、マーキング材料の前記媒体上への転写に関連づけられる動作パラメータを調整するために、対応するアクチュエータ制御入力信号または値によって個々に動作可能であり、
前記実験を自動的に実行することは、少なくとも１つの所望される試験パッチ特性に従って前記リソースに前記媒体上へ試験パッチセットを生産させるために、前記実験の各ランにおいて前記アクチュエータへアクチュエータ制御入力信号または値を提供することを含み、各ランは少なくとも１つのアクチュエータの動作点を前記アクチュエータ公称動作点から偏らせる少なくとも１つの予め決められた摂動を含み、前記実験の少なくとも２つの前記ランは予め決められた異なる摂動を有し、
前記試験製品の前記少なくとも１つの所望される試験製品特性を検出することは、前記試験パッチに関連づけられるマーキング材料転写状態を検知することを含み、
前記試験製品セットの前記検出された特性を分析することは、前記試験パッチセットの前記検出された特性を前記少なくとも１つの所望される試験パッチ特性と対照させて分析することを含み、
前記相関性を選択的に更新することは、少なくとも部分的に前記分析に従って、所望される試験パッチ特性と前記モデルのアクチュエータ公称動作点との相関性を選択的に更新することを含み、
さらに、非試験製品の生産を継続しながら前記媒体のパネル内ゾーンまたは他のゾーンに試験パッチを生産するために複数のランを含む実験を自動的に実行することを含む、方法。
【手続補正２】
【補正対象書類名】明細書
【補正対象項目名】発明の名称
【補正方法】変更
【補正の内容】
【発明の名称】生産システム及び生産システムモデルを更新する方法
【手続補正３】
【補正対象書類名】明細書
【補正対象項目名】０００４
【補正方法】変更
【補正の内容】
【０００４】
本発明に係る生産システムは、製品を生産するために少なくとも１つの生産作業を実行する働きをする少なくとも１つのリソースと、前記少なくとも１つのリソースを用いる製品の生産を促進するために、対応するアクチュエータ制御入力信号または値によって個々に動作可能な複数のアクチュエータと、所望される製品特性と前記アクチュエータの公称動作点との間の相関性を含むモデルと、前記生産リソース及び前記アクチュエータと結合され、かつ少なくとも１つの所望される試験製品特性に従って対応する試験製品セットを生産するために複数のランを含む実験を自動的に実行する働きをするコントローラであって、前記コントローラは、少なくとも１つの所望される試験製品特性によって画定されるアクチュエータ公称動作点によって前記リソースに試験製品を生産させるために、実験の各ランにおいて前記アクチュエータへアクチュエータ制御入力信号または値を提供し、各ランは少なくとも１つのアクチュエータの動作点をアクチュエータ公称動作点から偏らせる少なくとも１つの予め決められた摂動を含み、前記実験の少なくとも２つの前記ランは予め決められた異なる摂動を有するコントローラと、前記コントローラと結合され、かつ前記試験製品の前記少なくとも１つの所望される試験製品特性を検知する働きをする少なくとも１つのセンサとを備え、前記コントローラは、前記試験製品セットの前記検知された特性を前記少なくとも１つの所望される試験製品特性と対照させる分析を実行し、かつ少なくとも部分的に前記分析に従って、所望される製品特性と前記モデルのアクチュエータ公称動作点との相関性を選択的に更新する働きをし、前記システムは文書処理システムであって、試験パッチ製品を生産するためにマーキング材料を対応する媒体上へ転写する働きをする少なくとも１つのマーキングデバイスリソースを備え、前記複数のアクチュエータは、マーキング材料の前記媒体上への転写に関連づけられる動作パラメータを調整するために、対応するアクチュエータ制御入力信号または値によって個々に動作可能であり、前記少なくとも１つのセンサは、前記試験パッチ製品に関連づけられるマーキング材料転写状態を検知する働きをし、前記コントローラは前記マーキングデバイスリソースと機能的に結合されかつ選択的に前記少なくとも１つのマーキングデバイスにマーキング材料を前記媒体上へ転写させる働きをし、前記コントローラは、少なくとも１つの所望される試験パッチ特性に従って前記媒体上へ対応する試験パッチセットを生産するために複数のランを含む実験を自動的に実行する働きをし、前記コントローラは、前記少なくとも１つの所望される試験パッチ特性によって画定されるアクチュエータ公称動作点に従って前記マーキングデバイスに前記媒体上へ試験パッチを生産させるために、前記実験の各ランにおいて前記アクチュエータへアクチュエータ制御入力信号または値を提供し、各ランは少なくとも１つのアクチュエータの動作点を前記アクチュエータ公称動作点から偏らせる少なくとも１つの予め決められた摂動を含み、前記実験の少なくとも２つの前記ランは予め決められた異なる摂動を有し、前記コントローラは、前記試験パッチセットの前記検知された特性を前記少なくとも１つの所望される試験パッチ特性と対照させる分析を実行し、かつ少なくとも部分的に前記分析に従って、所望される試験パッチ特性と前記モデルのアクチュエータ公称動作点との相関性を選択的に更新する働きをし、前記試験パッチの前記媒体上の位置は前記実験の摂動である、生産システムである。本発明に係る生産システムモデルを更新する方法は、生産システムの少なくとも１つの生産システムリソースを用いて、少なくとも１つの所望される試験製品特性に従った対応する試験製品セットを生産するために複数のランを含む実験を自動的に実行することであって、前記少なくとも１つの所望される試験製品特性によって画定されるアクチュエータ公称動作点に従って前記リソースに対応する試験製品を生産させるために、前記実験の各ランにおいてアクチュエータ制御入力信号または値を複数のアクチュエータへ提供することを含み、各ランは少なくとも１つの前記アクチュエータの動作点をアクチュエータ公称動作点から偏らせる少なくとも１つの予め決められた摂動を含み、前記実験の前記ランのうちの少なくとも２つは予め決められた異なる摂動を有することと、前記実験において生産された前記試験製品の前記少なくとも１つの所望される試験製品特性を検出することと、前記試験製品セットの前記検出された特性を前記少なくとも１つの所望される試験製品特性と対照させて分析することと、少なくとも部分的に前記分析に従って、所望される製品特性とシステムモデルのアクチュエータ公称動作点との相関性を選択的に更新することを含み、前記システムは文書処理システムであって、試験パッチ製品を生産するためにマーキング材料を対応する媒体上へ転写する働きをする少なくとも１つのマーキングデバイスリソースを備え、前記複数のアクチュエータは、マーキング材料の前記媒体上への転写に関連づけられる動作パラメータを調整するために、対応するアクチュエータ制御入力信号または値によって個々に動作可能であり、前記実験を自動的に実行することは、少なくとも１つの所望される試験パッチ特性に従って前記リソースに前記媒体上へ試験パッチセットを生産させるために、前記実験の各ランにおいて前記アクチュエータへアクチュエータ制御入力信号または値を提供することを含み、各ランは少なくとも１つのアクチュエータの動作点を前記アクチュエータ公称動作点から偏らせる少なくとも１つの予め決められた摂動を含み、前記実験の少なくとも２つの前記ランは予め決められた異なる摂動を有し、前記試験製品の前記少なくとも１つの所望される試験製品特性を検出することは、前記試験パッチに関連づけられるマーキング材料転写状態を検知することを含み、前記試験製品セットの前記検出された特性を分析することは、前記試験パッチセットの前記検出された特性を前記少なくとも１つの所望される試験パッチ特性と対照させて分析することを含み、前記相関性を選択的に更新することは、少なくとも部分的に前記分析に従って、所望される試験パッチ特性と前記モデルのアクチュエータ公称動作点との相関性を選択的に更新することを含み、さらに、非試験製品の生産を継続しながら前記媒体のパネル内ゾーンまたは他のゾーンに試験パッチを生産するために複数のランを含む実験を自動的に実行することを含む、方法である。ある実施形態では、コントローラは実験を複数回反復して複数の試験製品セットを分析し、かつモデルへの適合における周期的雑音の効果を打ち消すために異なる反復で実行のシーケンスをランダム化しても、変更してもよい。